(57)【特許請求の範囲】
【請求項１】
コイルを有する共振回路を含む発振回路と、
前記コイルによって構成される一次側コイルと、二次側コイルと、を含み、検知対象となる磁性体の量又は密度が増加したとき、前記二次側コイルから出力される信号が大きくなり、前記磁性体の量又は密度が減少したとき、前記信号が小さくなる差動トランスと、
前記信号を増幅する増幅部と、を備え、
前記増幅部は、前記信号の周波数が減少したとき、前記信号の増幅率が増加し、前記信号の周波数が増加したとき、前記信号の増幅率が減少する周波数帯域を、周波数特性として有し、前記周波数帯域に前記共振回路の共振周波数が含まれているセンサー。
【請求項２】
前記増幅部は、
ローパスフィルターと、
前記ローパスフィルターの前段又は後段に設けられ、前記信号を増幅する増幅回路と、を備え、
前記ローパスフィルターの遮断周波数より高い前記周波数帯域に、前記共振回路の共振周波数が含まれている請求項１に記載のセンサー。
【請求項３】
コイルを有する共振回路を含む発振回路と、
前記コイルによって構成される一次側コイルと、二次側コイルと、を含み、検知対象となる磁性体の量又は密度が減少したとき、前記二次側コイルから出力される信号が大きくなり、前記磁性体の量又は密度が増加したとき、前記信号が小さくなる差動トランスと、
前記信号を増幅する増幅部と、を備え、
前記増幅部は、前記信号の周波数が減少したとき、前記信号の増幅率が減少し、前記信号の周波数が増加したとき、前記信号の増幅率が増加する周波数帯域を、周波数特性として有し、前記周波数帯域に前記共振回路の共振周波数が含まれているセンサー。
【請求項４】
前記増幅部は、
ハイパスフィルターと、
前記ハイパスフィルターの前段又は後段に設けられ、前記信号を増幅する増幅回路と、を備え、
前記ハイパスフィルターの遮断周波数より低い前記周波数帯域に、前記共振回路の共振周波数が含まれている請求項３に記載のセンサー。
【請求項５】
静電潜像にトナーを供給することにより、トナー像を形成する現像部と、
前記現像部のトナーの量又は密度を測定する請求項１〜４のいずれか一項に記載されたセンサーと、を備える画像形成装置。
【発明の詳細な説明】
【技術分野】
【０００１】
本発明は、磁性体の量や密度を検知するセンサーに関する。
【背景技術】
【０００２】
現像剤としてトナーを用いる画像形成装置には、磁性体を含むトナー（トナーの成分の数％が磁性体のトナー）からなる１成分現像剤を用いる方式と、非磁性体のトナーと磁性体のキャリアとからなる２成分現像剤を用いる方式とがある。１成分現像剤では、トナーの量を検知するために、２成分現像剤では、トナーの密度を検知するために、磁性体の量や密度を検知するセンサーが用いられる。
【０００３】
例えば、特許文献１には、差動トランスを用いて、磁性体の量や密度を検知するセンサーが開示されている。
【先行技術文献】
【特許文献】
【０００４】
【特許文献１】特開２０１４−７４６３８号公報
【発明の概要】
【発明が解決しようとする課題】
【０００５】
磁性体の量や密度の僅かな変化を検知したいことがある。これを１成分現像剤を例に説明する。トナーが静電潜像に供給されることにより、現像部内のトナー残量が少なくなると、現像部に新たなトナーが補給される。適正な画像を得るためには、現像部内のトナー量を一定に保つ必要がある。さらに、高画質な画像を得るためには、僅かなトナー量の変化を検知して制御する必要がある。
【０００６】
磁性体の量や密度の僅かな変化を検知するためには、センサーの感度を高める必要がある。
【０００７】
本発明の目的は、磁性体の量や密度を検知する感度を高めたセンサー及びこれを備える画像形成装置を提供することである。
【課題を解決するための手段】
【０００８】
本発明の第１の局面に係るセンサーは、コイルを有する共振回路を含む発振回路と、前記コイルによって構成される一次側コイルと、二次側コイルと、を含み、検知対象となる磁性体の量又は密度が増加したとき、前記二次側コイルから出力される信号が大きくなり、前記磁性体の量又は密度が減少したとき、前記信号が小さくなる差動トランスと、前記信号を増幅する増幅部と、を備え、前記増幅部は、前記信号の周波数が減少したとき、前記信号の増幅率が増加し、前記信号の周波数が増加したとき、前記信号の増幅率が減少する周波数帯域を、周波数特性として有し、前記周波数帯域に前記共振回路の共振周波数が含まれている。
【０００９】
一次側コイル及び二次側コイルのうち、磁性体を検知するコイルによって磁性体が検知されたとき（すなわち、そのコイルの付近に磁性体が存在するとき）、一次側のコイルも磁性体の影響を受けて、インダクタンスが変化する。一次側のコイルは、共振回路のコイルによって構成されるので、そのインダクタンスの変化によって、共振回路の共振周波数（発振回路の発振周波数）が変化する。本発明者は、以上のことに着目し、本発明の第１の局面に係るセンサー及び後で説明する第２の局面に係るセンサーを創作した。
【００１０】
本発明の第１の局面に係るセンサーによれば、磁性体を検知するコイルの付近に存在する磁性体の量又は密度が減少したとき、差動トランスから出力される信号が小さくなり、かつ、増幅部の増幅率が減少する。これに対して、磁性体の量又は密度が増加したとき、その信号が大きくなり、かつ、増幅部の増幅率が増加する。この結果、増幅部から出力される信号は、磁性体の量又は密度の僅かな変化に対して、比較的大きく変化するので、センサーの感度を高くすることができる。
【００１１】
上記構成において、前記増幅部は、ローパスフィルターと、前記ローパスフィルターの前段又は後段に設けられ、前記信号を増幅する増幅回路と、を備え、前記ローパスフィルターの遮断周波数より高い前記周波数帯域に、前記共振回路の共振周波数が含まれている。
【００１２】
この構成では、ローパスフィルターと増幅回路との組み合わせが、本発明の第１の局面に係るセンサーの増幅部の機能を実現している。この構成によれば、本発明の第１の局面に係るセンサーと同様の理由により、センサーの感度を高くすることができる。なお、ローパスフィルターの前段又は後段に増幅回路を設ける態様は一例であり、ローパスフィルターと増幅回路とは、別々の構成でなくてもよい。
【００１３】
本発明の第２の局面に係るセンサーは、コイルを有する共振回路を含む発振回路と、前記コイルによって構成される一次側コイルと、二次側コイルと、を含み、検知対象となる磁性体の量又は密度が減少したとき、前記二次側コイルから出力される信号が大きくなり、前記磁性体の量又は密度が増加したとき、前記信号が小さくなる差動トランスと、前記信号を増幅する増幅部と、を備え、前記増幅部は、前記信号の周波数が減少したとき、前記信号の増幅率が減少し、前記信号の周波数が増加したとき、前記信号の増幅率が増加する周波数帯域を、周波数特性として有し、前記周波数帯域に前記共振回路の共振周波数が含まれている。
【００１４】
本発明の第２の局面に係るセンサーによれば、磁性体を検知するコイルの付近に存在する磁性体の量又は密度が減少したとき、差動トランスから出力される信号が大きくなり、かつ、増幅部の増幅率が増加する。これに対して、磁性体の量又は密度が増加したとき、その信号が小さくなり、かつ、増幅部の増幅率が減少する。この結果、増幅部から出力される信号は、磁性体の量又は密度の僅かな変化に対して、比較的大きく変化するので、センサーの感度を高くすることができる。
【００１５】
上記構成において、前記増幅部は、ハイパスフィルターと、前記ハイパスフィルターの前段又は後段に設けられ、前記信号を増幅する増幅回路と、を備え、前記ハイパスフィルターの遮断周波数より低い前記周波数帯域に、前記共振回路の共振周波数が含まれている。
【００１６】
上記構成では、ハイパスフィルターと増幅回路との組み合わせが、本発明の第２の局面に係るセンサーの増幅回路の機能を実現している。この構成によれば、本発明の第２の局面に係るセンサーと同様の理由により、センサーの感度を高くすることができる。なお、ハイパスフィルターの前段又は後段に増幅回路を設ける態様は一例であり、ハイパスフィルターと増幅回路とは、別々の構成でなくてもよい。
【００１７】
本発明の第３の局面に係る画像形成装置は、静電潜像にトナーを供給することにより、トナー像を形成する現像部と、前記現像部のトナーの量又は密度を測定する前記センサーと、を備える。
【００１８】
本発明の第３の局面に係る画像形成装置は、本発明の第１の局面又は第２の局面に係るセンサーが適用された画像形成装置である。
【発明の効果】
【００１９】
本発明によれば、磁性体の量や密度を検知するセンサーの感度を高めることができる。
【図面の簡単な説明】
【００２０】
【図１】第１実施形態及び第２実施形態に係るセンサーを備える画像形成装置の構成を示すブロック図である。
【図２】第１実施形態に係るセンサーの構成を示すブロック図である。
【図３】第１実施形態に係るセンサーが備える増幅回路の周波数特性を示すグラフである。
【図４】第１実施形態において、発振回路、差動トランス及び増幅回路の相互の関係を説明する表である。
【図５】第１実施形態において、コイルＬ３の付近に存在する磁性体の量又は密度が小さいときの信号Ｓ２である信号Ｓ２−１と、コイルＬ３の付近に存在する磁性体の量又は密度が大きいときの信号Ｓ２である信号Ｓ２−２とを示すグラフである。
【図６】第１実施形態において、信号Ｓ２と磁性体の量又は密度との関係を示すグラフである。
【図７】比較例において、コイルＬ３の付近に存在する磁性体の量又は密度が小さいときの信号Ｓ２である信号Ｓ２−１と、コイルＬ３の付近に存在する磁性体の量又は密度が大きいときの信号Ｓ２である信号Ｓ２−２とを示すグラフである。
【図８】第２実施形態において、発振回路、差動トランス及び増幅回路の相互の関係を説明する表である。
【図９】第２実施形態に係るセンサーが備える増幅回路の周波数特性を示すグラフである。
【図１０】第２実施形態において、信号Ｓ２と磁性体の量又は密度との関係を示すグラフである。
【図１１】第１及び第２実施形態の変形例に係るセンサーの構成を示すブロック図である。
【発明を実施するための形態】
【００２１】
以下、図面に基づいて本発明の実施形態を詳細に説明する。図１は、第１実施形態及び第２実施形態に係るセンサー１を備える画像形成装置１０００の構成を示すブロック図である。画像形成装置１０００として、コピー、プリンター、スキャナー及びファクシミリの機能を有するデジタル複合機を例に説明する。画像形成装置１０００は、画像を印刷する機能を有する装置であればよく、デジタル複合機に限定されない。例えば、プリンターを画像形成装置１０００としてもよい。画像形成装置１０００は、印刷部１００、原稿読取部２００、原稿給送部３００、操作部４００、制御部５００及び通信部６００を備える。
【００２２】
原稿給送部３００は、原稿給送部３００に設けられた原稿載置部に１枚の原稿が置かれている場合、その原稿を原稿読取部２００に送り、原稿載置部に複数枚の原稿が置かれている場合、複数枚の原稿を連続的に原稿読取部２００に送る。
【００２３】
原稿読取部２００は、原稿台に載置された原稿や、原稿給送部３００から給送された原稿を読み取り、その原稿の画像データを出力する。
【００２４】
印刷部１００は、パソコン（不図示）から送信されてきた印刷データで示される画像、原稿読取部２００から出力された画像データで示される画像、ファクシミリ受信されたデータで示される画像を、用紙に印刷する。
【００２５】
印刷部１００は、現像部１０１を備える。現像部１０１は、上記印刷データ、画像データ又はデータを用いて形成された静電潜像にトナーを供給する。これにより、上記画像の基になるトナー像が形成される。
【００２６】
センサー１は、画像形成装置１０００が１成分現像剤方式の場合、現像部１０１内のトナーの量を検知し、画像形成装置１０００が２成分現像剤方式の場合、現像部１０１内のトナーの密度を検知する。
【００２７】
操作部４００は、操作キー部４０１と表示部４０３を備える。表示部４０３は、タッチパネル機能を有しており、ソフトキーを含む画面が表示される。ユーザーは、画面を見ながらソフトキーを操作することによって、コピー等の機能の実行に必要な設定等をする。
【００２８】
操作キー部４０１には、ハードキーからなる操作キーが設けられている。操作キーは、例えば、スタートキー、テンキー、リセットキー、コピー、プリンター、スキャナー及びファクシミリを切り換えるための機能切換キーである。
【００２９】
制御部５００は、ＣＰＵ、ＲＯＭ、及び、ＲＡＭを備える。ＣＰＵは、画像形成装置１０００を動作させるために必要な制御を、画像形成装置１０００の上記構成要素（例えば、印刷部１００）に対して実行する。ＲＯＭは、画像形成装置１０００の動作の制御に必要なソフトウェアを記憶している。ＲＡＭは、ソフトウェアの実行時に発生するデータの一時的な記憶及びアプリケーションソフトの記憶等に利用される。
【００３０】
通信部６００は、ファクシミリ通信部６０１及びネットワークＩ／Ｆ部６０３を備える。ファクシミリ通信部６０１は、相手先ファクシミリとの電話回線の接続を制御するＮＣＵ（Network Control Unit）及びファクシミリ通信用の信号を変復調する変復調回路を備える。ファクシミリ通信部６０１は、電話回線６０５に接続される。
【００３１】
ネットワークＩ／Ｆ部６０３は、ＬＡＮ（Local Area Network）６０７に接続される。ネットワークＩ／Ｆ部６０３は、ＬＡＮ６０７に接続されたクライアント装置との間で通信を実行するための通信インターフェイス回路である。
【００３２】
図２は、第１実施形態に係るセンサー１の構成を示すブロック図である。センサー１は、発振回路２、差動トランス３、増幅回路４、検波回路５及びＡＤ変換回路６を備える。
【００３３】
発振回路２は、トランジスターを含む増幅器と、コンデンサーＣ１、コンデンサーＣ２及びコイルＬ１を含む共振回路７と、を備えるコルピッツ発振回路である。
【００３４】
差動トランス３は、コイルＬ１によって構成される一次側コイルと、コイルＬ２及びコイルＬ３によって構成される二次側コイルと、を備える。コイルＬ１は、駆動コイルとして機能する。コイルＬ１には、発振回路２で生成された高周波の駆動電流が流れる。
【００３５】
コイルＬ２は、基準コイルとして機能し、コイルＬ３は、検知コイルとして機能する。コイルＬ２とコイルＬ３とは、直列に差動接続されている。言い換えれば、コイルＬ２及びコイルＬ３を流れる誘導電流の向きが、互いに逆向きになるように、コイルＬ２とコイルＬ３とが電気的に接続されている。これにより、差動電圧（＝コイルＬ２の起電圧Ｖ１−コイルＬ３の起電圧Ｖ２）が生成される。差動電圧が、差動トランス３から出力される信号Ｓ１となる。
【００３６】
増幅回路４は、交流信号を増幅する回路であり、信号Ｓ１を増幅した信号Ｓ２を生成する。検波回路５は、信号Ｓ２を直流信号に変換する。ＡＤ変換回路６は、この直流信号をデジタル信号に変換する。図１の制御部５００は、このデジタル信号を基にして、トナーの量や密度を算出する。
【００３７】
コイルＬ３（検知コイル）の付近に磁性体が存在しないとき（すなわち、コイルＬ３によって磁性体が検知されていないとき）、差動電圧（＝信号Ｓ１）が、ほぼ０Ｖになるように、差動トランス３が設定されている。発振回路２で生成された高周波の駆動電流がコイルＬ１に流れると、コイルＬ２に起電圧Ｖ１、コイルＬ３に起電圧Ｖ２が生じる。コイルＬ３の付近に磁性体が存在するとき（すなわち、コイルＬ３によって磁性体が検知されているとき）、起電圧Ｖ２は、起電圧Ｖ１よりも大きくなるので、差動電圧は０Ｖにならない。コイルＬ３の付近に存在する磁性体の量や密度が増加したとき、差動電圧の振幅が増加し（信号Ｓ１が大きくなり）、コイルＬ３の付近に存在する磁性体の量や密度が減少したとき、差動電圧の振幅が減少する（信号Ｓ１が小さくなる）。センサー１は、これを利用して、磁性体の量や密度を検出する。
【００３８】
増幅回路４は、図３に示すような周波数特性を有する。すなわち、増幅回路４は、信号Ｓ１の周波数が減少したとき、信号Ｓ１の増幅率が増加し、信号Ｓ１の周波数が増加したとき、信号Ｓ１の増幅率が減少する周波数帯域Ｂ１を、周波数特性として有する。このように、増幅回路４は、ローパスフィルター（高周波遮断）の機能を有する。
【００３９】
コイルＬ３の付近に磁性体が存在する状態及び存在しない状態（すなわち、コイルＬ３によって磁性体が検知されている状態及び検知されていない状態）において、周波数帯域Ｂ１に共振回路７の共振周波数が含まれるように、共振回路７及び増幅回路４の少なくとも一方が設定されている。これにより、図４に示す関係が成立する。
【００４０】
図４は、第１実施形態において、発振回路２、差動トランス３及び増幅回路４の相互の関係を説明する表である。図１に示すコイルＬ１（駆動コイル）及びコイルＬ２（基準コイル）は、コイルＬ３（検知コイル）の近くにあるので、コイルＬ３の付近に磁性体が存在するとき、その磁性体の影響を受ける。これにより、コイルＬ１、コイルＬ２及びコイルＬ３の自己インダクタンス、相互インダクタンスが変化する。
【００４１】
磁性体に近いコイルから順に（コイルＬ３、コイルＬ１、コイルＬ２）、磁性体の影響を強く受ける。コイルＬ１は、磁性体の影響により、自己インダクタンスが大きくなる。これにより、共振回路７の共振周波数（すなわち、発振回路２の発振周波数）が小さくなる。よって、コイルＬ３の付近に存在する磁性体の量又は密度（以下、「磁性体の量又は密度」と簡単に記載する）が減少したとき、共振回路７の共振周波数が増加し、磁性体の量又は密度が増加したとき、共振回路７の共振周波数が減少する。
【００４２】
以上説明したように、一次側コイル及び二次側コイルのうち、磁性体を検知するコイルによって磁性体が検知されたとき（すなわち、そのコイルの付近に磁性体が存在するとき）、一次側のコイルも磁性体の影響を受けて、インダクタンスが変化する。一次側のコイルは、共振回路７のコイルＬ１によって構成されるので、そのインダクタンスの変化によって、共振回路７の共振周波数（発振回路２の発振周波数）が変化する。
【００４３】
差動トランス３は、上述したように、磁性体の量又は密度が減少したとき、差動トランス３から出力される信号Ｓ１の振幅が減少し、磁性体の量又は密度が増加したとき、信号Ｓ１の振幅が増加するように設定されている。信号Ｓ１の振幅が減少とは、信号Ｓ１が小さくなることであり、信号Ｓ１の振幅が増加とは、信号Ｓ１が大きくなることである。
【００４４】
増幅回路４は、図３で説明したように、信号Ｓ１の周波数が増加したとき、増幅回路４の増幅率が減少し、信号Ｓ１の周波数が減少したとき、増幅回路４の増幅率が増加する。共振回路７の共振周波数は、発振回路２の発振周波数とほぼ同じなので、信号Ｓ１の周波数は、共振周波数とほぼ同じとなる。
【００４５】
以上より、磁性体の量又は密度が減少したとき、信号Ｓ１の振幅が減少し、かつ、増幅回路４の増幅率が減少する。これに対して、磁性体の量又は密度が増加したとき、信号Ｓ１の振幅が増加し、かつ、増幅回路４の増幅率が増加する。
【００４６】
この結果、増幅回路４から出力される信号Ｓ２は、磁性体の量又は密度の僅かな変化に対して、比較的大きく変化する。図５は、これを説明するグラフである。磁性体の量又は密度が小さいときの信号Ｓ２を、信号Ｓ２−１とし、磁性体の量又は密度が大きいときの信号Ｓ２を、信号Ｓ２−２とする。信号Ｓ２−１と信号Ｓ２−２との振幅の差が比較的大きいので、磁性体の量又は密度が僅かに変化すると、信号Ｓ２の振幅が大きく変化することになる。これをグラフで示したのが図６である。横軸は、磁性体の量又は密度を示し、縦軸は、信号Ｓ２の振幅を示す。図６に示すように、傾きが大きなグラフとなる。これは、磁性体の量又は密度の僅かな変化を検知できることを意味する。
【００４７】
図７は、共振回路７の共振周波数が、図３に示すフラットな帯域に設定された比較例の場合を示す。比較例において、信号Ｓ２−１の増幅率と信号Ｓ２−２の増幅率とは同じなので、信号Ｓ２−１と信号Ｓ２−２との振幅の差が比較的小さい。従って、第１実施形態は、比較例と比べてセンサーの感度を高くすることができる。
【００４８】
第１実施形態では、図２に示す増幅回路４が、図３に示す周波数帯域Ｂ１を周波数特性として有するが、増幅回路４がその周波数特性を有する替わりに、ローパスフィルターを増幅回路４の前段又は後段に設ける態様でもよい。この態様では、コイルＬ３の付近に磁性体が存在する状態及び存在しない状態（すなわち、コイルＬ３によって磁性体が検知されている状態及び検知されていない状態）において、ローパスフィルターの遮断周波数より高い周波数帯域に、共振回路７の共振周波数が含まれるように、共振回路７及びローパスフィルターの少なくとも一方が設定される。
【００４９】
この態様では、ローパスフィルターと増幅回路４との組み合わせが、第１実施形態に係るセンサー１の増幅回路４（増幅部）の機能を実現している。この態様によれば、第１実施形態に係るセンサー１と同様の理由により、センサーの感度を高くすることができる。
【００５０】
第２実施形態について、第１実施形態との相違点を中心に説明する。第２実施形態に係るセンサー１の構成を示すブロック図は、第１実施形態に係るセンサー１の構成を示すブロック図と同じであり、図２に示される。図８は、第２実施形態において、発振回路２、差動トランス３及び増幅回路４の相互の関係を説明する表である。
【００５１】
第２実施形態の差動トランス３は、コイルＬ３の付近に存在する磁性体が最も多い状態（例えば、図１に示す現像部１０１に収容されたトナーがフルの状態）で、差動電圧（＝信号Ｓ１）が、ほぼ０Ｖになるようにされている。これは、差動トランス３のコイルＬ１，Ｌ２，Ｌ３が立体コイルの場合、差動トランス３の可動鉄心をコイルＬ２（基準コイル）側に移動させて、コイルＬ２で生成される起電圧Ｖ１が、コイルＬ３（検知コイル）で生成される起電圧Ｖ２より高くなるように設定することにより実現できる。また、差動トランス３のコイルＬ１，Ｌ２，Ｌ３が平面コイルの場合、コイルＬ２（基準コイル）の巻数を、コイルＬ３（検知コイル）の巻数より多くして、コイルＬ２で生成される起電圧Ｖ１が、コイルＬ３で生成される起電圧Ｖ２より高くなるように設定することにより実現できる。
【００５２】
このような設定がされた第２実施形態の差動トランス３は、第１実施形態の差動トランス３と逆に、検知対象となる磁性体の量又は密度が減少したとき、差動トランス３から出力される信号Ｓ１の振幅が増加し、磁性体の量又は密度が増加したとき、信号Ｓ１の振幅が減少する。
【００５３】
第２実施形態の増幅回路４は、第１実施形態の増幅回路４と異なり、図９に示すような周波数特性を有する。すなわち、増幅回路４は、信号Ｓ１の周波数が減少したとき、信号Ｓ１の増幅率が減少し、信号Ｓ１の周波数が増加したとき、信号Ｓ１の増幅率が増加する周波数帯域Ｂ２を、周波数特性として有する。このように、第２実施形態の増幅回路４は、ハイパスフィルター（低周波遮断）の機能を有する。
【００５４】
コイルＬ３の付近に磁性体が存在する状態及び存在しない状態（すなわち、コイルＬ３によって磁性体が検知されている状態及び検知されていない状態）において、周波数帯域Ｂ２に共振回路７の共振周波数が含まれるように、共振回路７及び増幅回路４の少なくとも一方が設定されている。この結果、第１実施形態と同様に、増幅回路４から出力される信号Ｓ２は、磁性体の量又は密度の僅かな変化に対して、比較的大きく変化する。これをグラフで示したのが図１０である。横軸は、磁性体の量又は密度を示し、縦軸は、信号Ｓ２の振幅を示す。図１０に示すように、傾きが大きなグラフとなる。これは、磁性体の量又は密度の僅かな変化を検知できることを意味する。従って、第２実施形態は、センサーの感度を高くすることができる。
【００５５】
第２実施形態では、図２に示す増幅回路４が、図９に示す周波数帯域Ｂ２を周波数特性として有するが、増幅回路４がその周波数特性を有する替わりに、ハイパスフィルターを増幅回路４の前段又は後段に設ける態様でもよい。この態様では、コイルＬ３の付近に磁性体が存在する状態及び存在しない状態（すなわち、コイルＬ３によって磁性体が検知されている状態及び検知されていない状態）において、ハイパスフィルターの遮断周波数より低い周波数帯域に、共振回路７の共振周波数が含まれるように、共振回路７及びハイパスフィルターの少なくとも一方が設定される。
【００５６】
この態様では、ハイパスフィルターと増幅回路４との組み合わせが、第２実施形態に係るセンサー１の増幅回路４（増幅部）の機能を実現している。この態様によれば、第２実施形態に係るセンサー１と同様の理由により、センサーの感度を高くすることができる。
【００５７】
第１及び第２実施形態の変形例を説明する。図１１は、変形例に係るセンサー１ａの構成を示すブロック図である。センサー１ａが、図２に示すセンサー１と異なる点は、差動トランス３ａ及び共振回路７ａの構成である。差動トランス３ａは、コイルＬ４及びコイルＬ５によって構成される一次側コイルと、コイルＬ６によって構成される二次側コイルと、を備える。
【００５８】
コイルＬ４は、基準コイル及び駆動コイルとして機能し、コイルＬ５は、検知コイル及び駆動コイルとして機能する。コイルＬ４とコイルＬ５とは、直列に差動接続されている。
【００５９】
共振回路７ａは、コンデンサーＣ１、コンデンサーＣ２、コイルＬ４及びコイルＬ５を含む。
【００６０】
変形例に係るセンサー１ａは、第１実施形態及び第２実施形態に係るセンサーと同様の理由で、センサーの感度を高くすることができる。
【符号の説明】
【００６１】
１，１ａ  センサー
２  発振回路
３  差動トランス
４  増幅回路（増幅部）
５  検波回路
６  ＡＤ変換回路
７  共振回路
【図１】
0006299646.tif 000002
【図２】
0006299646.tif 000003
【図３】
0006299646.tif 000004
【図４】
0006299646.tif 000005
【図５】
0006299646.tif 000006
【図６】
0006299646.tif 000007
【図７】
0006299646.tif 000008
【図８】
0006299646.tif 000009
【図９】
0006299646.tif 000010
【図１０】
0006299646.tif 000011
【図１１】
0006299646.tif 000012